(57)【特許請求の範囲】
【請求項１】
タンク底部で組み立てたタンク屋根をエアレイジングにより浮上させてタンク側壁部上端の固定用リング部材に固定する方法であって、開閉自在で閉じられた配管を予め装着したタンク屋根がエアレイジングにより固定用リング部材に到達した後、該固定用リング部材と、タンク屋根の外周部と、該タンク屋根の外周部下面に付設されてタンク側壁部の内周面に摺接するシール部材を全周に備えた仮屋根と、該仮屋根のシール部材と接している箇所より上側のタンク側壁部の内周面とにより囲まれた区画空間を、前記開閉可能な配管を開けることにより大気に開放し、然る後に、タンク屋根の外周部と固定用リング部材とを本溶接して固定することを特徴とするタンク屋根エアレイジング時の屋根固定方法。
【発明の詳細な説明】
【０００１】
【発明の属する技術分野】
本発明は、タンク屋根エアレイジング時の屋根固定方法に関するものである。
【０００２】
【従来の技術】
例えば、地下式低温タンクのタンク屋根を建設する場合、図２に示す如く、地面を掘り下げて必要な容積の地下空間１を形成し、該地下空間１に鉄筋コンクリート構造のタンク底部２とタンク側壁部３とを有するタンク本体４を建設し、然る後に、タンク本体４内のタンク底部２でドーム型のタンク屋根５を組み立て、次いで、タンク屋根５の外周部下面全周に環状の仮屋根６を取り付け、該仮屋根６の下部外周に装着してあるシール部材７の先端部がタンク側壁部３内周面に摺接するようにしてタンク屋根５とタンク底部２との間にブロワーにより加圧空気を導入し、空気圧によりタンク屋根５を二点鎖線で示すように浮上させ、タンク側壁部３の上端にタンク屋根５の外周部全周を固定するというエアレイジング工法を採用している。尚、図中８はタンク底部２上でタンク屋根５をドーム型に組み立てる際の架台、９は組み立てたタンク屋根５の下面に取り付けた足場を示している。
【０００３】
図３は従来におけるエアレイジングしたタンク屋根５の固定方法を示すもので、ここに例示している地下式低温タンクの場合には、タンク側壁部３の上端内周側にリングプレート（地上式低温タンクの場合のナックルリングに相当）と呼称されている固定用リング部材１０が埋め込みにより固定されており、エアレイジングによりタンク底部２から浮上してきたタンク屋根５の外周部が前記固定用リング部材１０の内周部下面に当接するようになっている。
【０００４】
そして、このようにエアレイジングしたタンク屋根５を最終的に固定するに際しては、タンク屋根５の外周部上面を固定用リング部材１０の内周部下面に溶接することになるが、空気圧によりタンク屋根５が支えられている状態では、シール部材７の先端部とタンク側壁部３内周面との間から漏れ出た加圧空気が、当接状態になっているタンク屋根５の外周部と固定用リング部材１０との間から吹き出すため、タンク屋根５の外周部と固定用リング部材１０とをタンク外から本溶接して固定することができない。
【０００５】
このため、従来においては、図３及び図４に示す如く、下向きコ字状のホースシュー１１（図４参照）をタンク屋根５の上面と固定用リング部材１０の上面とに対し夫々仮溶接しておき、タンク屋根５側に仮溶接されているホースシュー１１の内部に固定用リング部材１０の厚さに相当する座板１２を載置して底上げした上で、両ホースシュー１１，１１に対しＩ型鋼の縦環１３を閂状に嵌挿し、各ホースシュー１１，１１の水平部と縦環１３の上面との間に楔１４を打ち込み、縦環１３を介してタンク屋根５と固定用リング部材１０とを仮固定した状態とし、然る後に、ブロワーを停止してタンク内部を大気圧に戻すことによりタンク屋根５の外周部と固定用リング部材１０との間から空気が吹き出さない状態とし、次いで、タンク屋根５の外周部と固定用リング部材１０の内周部との重合部分をタンク内外から本溶接（タンク内からの本溶接に関しては補強材の溶接なども行う）し、その本溶接完了後に仮固定に用いた縦環１３、ホースシュー１１、仮屋根６、シール部材７等を取り除くようにしている。
【０００６】
また、図５はエアレイジングしたタンク屋根５の固定に関する別の従来例を示すもので、この従来例においては、空気圧によりタンク屋根５を浮上させてタンク屋根５の外周部を固定用リング部材１０に当接させた状態に保持した後に、下側の中間部に切込部１５を有し且つ該切込部１５から固定用リング部材１０側の下面を固定用リング部材１０の厚さ分だけ削った縦環１６をタンク屋根５の上面と固定用リング部材１０上面とに亘って設置し、タンク屋根５の外周部と固定用リング部材１０との間から吹き出す加圧空気の影響の少ない縦環１６両端部付近を、タンク屋根５上面と固定用リング部材１０上面とに対し仮溶接してタンク屋根５と固定用リング部材１０とを仮固定した状態とし、然る後に、ブロワーを停止してタンク内部を大気圧に戻すことによりタンク屋根５の外周部と固定用リング部材１０との間から空気が吹き出さない状態とし、次いで、タンク屋根５の外周部と固定用リング部材１０の内周部との重合部分をタンク内外から本溶接し、その本溶接完了後に仮固定に用いた縦環１６を取り除くようにしている。
【０００７】
【発明が解決しようとする課題】
しかしながら、前述した如き従来の屋根固定方法においては、タンク屋根５を浮上させている加圧空気がタンク屋根５の外周部と固定用リング部材１０との間から吹き出すことが支障となって直ちにタンク屋根５と固定用リング部材１０とを本溶接することができないという不具合があり、それ故にタンク屋根５を固定用リング部材１０に一旦仮固定してからブロワーを停止し、これによりタンク内部を大気圧に戻してからタンク屋根５と固定用リング部材１０との本溶接を行うようにしていたため、仮固定の作業や、縦環１３，１６などの仮固定用治具を取り除く後処理に多大な手間と時間を要していた。
【０００８】
本発明は、上述の実情に鑑みてなしたもので、タンク屋根の仮固定の作業を省いて、空気圧で浮上させているタンク屋根を固定用リング部材に対し直接本溶接し得るようにすることを目的としている。
【０００９】
【課題を解決するための手段】
本発明は、タンク底部で組み立てたタンク屋根をエアレイジングにより浮上させてタンク側壁部上端の固定用リング部材に固定する方法であって、開閉自在で閉じられた配管を予め装着したタンク屋根がエアレイジングにより固定用リング部材に到達した後、該固定用リング部材と、タンク屋根の外周部と、該タンク屋根の外周部下面に付設されてタンク側壁部の内周面に摺接するシール部材を全周に備えた仮屋根と、該仮屋根のシール部材と接している箇所より上側のタンク側壁部の内周面とにより囲まれた区画空間を、前記開閉可能な配管を開けることにより大気に開放し、然る後に、タンク屋根の外周部と固定用リング部材とを本溶接して固定することを特徴とするものである。
【００１０】
而して、このようにタンク屋根が固定用リング部材に到達した後に、タンク屋根に装着した開閉可能な配管を開けて区画空間を大気に開放するようにしているため、該区画空間の圧力が大気圧と等しくなってタンク外に対し差圧が無くなるので、タンク屋根の外周部と固定用リング部材との間から加圧空気がタンク外へ吹き出さなくなり、タンク屋根の外周部と固定用リング部材とをタンク外から本溶接して固定することが可能となり、また、前記区画空間に作業員が侵入して仮屋根を足場とすることによりタンク屋根の外周部と固定用リング部材とをタンク内から本溶接して固定することも可能となる。
【００１１】
また、本発明においては、開閉自在な配管をタンク屋根に予め装着しているので、エアレイジングによりタンク屋根が固定用リング部材に到達した後に、前記配管の閉塞を解除してタンク外へ連通させるだけで区画空間を簡単に大気に開放することが可能となる。
【００１２】
【発明の実施の形態】
以下本発明の実施の形態を図面を参照しつつ説明する。
【００１３】
図１は本発明を実施する形態の一例を示すもので、従来と同様にタンク本体の図示しないタンク底部上で組み立てたタンク屋根５を空気圧により浮上させ、タンク屋根５の外周部上面を固定用リング部材１０の内周部下面に当接させた状態を示している。
【００１４】
また、環状の仮屋根６は従来と同様に鉛直壁部６ａを備えており、この鉛直壁部６ａは、環状に連続している円筒状を成し且つその上縁がタンク屋根５の外周部下面全周に亘り気密に取り付けられている。
【００１５】
このため、図示のようにタンク屋根５が浮上して該タンク屋根５の外周部上面が固定用リング部材１０の内周部下面に当接すると、固定用リング部材１０と、タンク屋根５の外周部と、鉛直壁部６ａ及びシール部材７を備えた仮屋根６と、シール部材７が接している箇所より上側のタンク側壁部３とにより囲まれた区画空間１８が形成されることになる。
【００１６】
そこで、本形態例においては、タンク屋根５をエアレイジングさせるのに先立ち、タンク底部におけるタンク屋根５の組み立て時に、前記鉛直壁部６ａの内面側と、タンク屋根５に貫通設置したスリーブ２０の底部との間を予め配管１９で接続しておき、タンク屋根５をエアレイジングにより浮上させた後に、前述した区画空間１８を前記配管１９を介して適宜に大気に開放し得るようにしてある。
【００１７】
ここで、前記スリーブ２０の頂部には、スリーブ２０の頂部開口を開閉し得るスライド扉２１が取り付けられており、このスライド扉２１を開閉することで区画空間１８の大気への開放・遮断が行われるようになっている。
【００１８】
そして、エアレイジングによりタンク屋根５を浮上させてタンク屋根５の外周部上面が固定用リング部材１０の内周部下面に当接した状態になった後、それまで密閉していたスライド扉２１を開けると、区画空間１８は配管１９及びスリーブ２０を介して大気に開放され、区画空間１８の圧力が大気圧と等しくなってタンク外に対し差圧が無くなるので、タンク屋根５の外周部と固定用リング部材１０との間から加圧空気がタンク外へ吹き出さなくなる。
【００１９】
これにより、加圧空気の吹き出しによる溶接への支障が無くなるので、エアレイジングによりタンク屋根５を浮上させてタンク屋根５の外周部上面が固定用リング部材１０の内周部下面に当接した状態を保持したまま、タンク屋根５の外周部と固定用リング部材１０の内周部とに対し、タンク内外から溶接２２を施すことが可能となり、両者を仮溶接を行うことなく直接本溶接して固定することができる。尚、必要に応じタンク屋根５の外周部と固定用リング部材１０の内周との下面に亘る補強材２３も溶接によって固定することができる。
【００２０】
また、タンク屋根５の外周部と固定用リング部材１０の内周部とに対し、タンク内から溶接２２を施したり、補強材２３を溶接したりするに際しては、区画空間１８が大気圧となっているので、該区画空間１８の内部に作業員が侵入して仮屋根６を足場に作業を行うようにすれば良い。
【００２１】
尚、区画空間１８の内部に侵入するに際しては、従来と同様にタンク屋根５の下面に取り付けられている足場９の上端近傍に、タンク屋根５を貫通したエアロックチャンバー２４を取り付け、エアロックチャンバー２４の側面と底面には、それぞれ気密を保ち得るようにした外側出入口扉２５と内側出入口扉２６とを設けておき、更に、仮屋根６の鉛直壁部６ａにおける足場９に近い箇所には、気密を保ち得るようにした出入扉２７を設けておけば良く、通常時においては、外側出入口扉２５、内側出入口扉２６、出入扉２７の全てを気密に閉じた状態にしておき、区画空間１８の内部に作業員が侵入する場合には、外側出入口扉２５を開いてエアロックチャンバー２４の内部に入り、次いで、外側出入口扉２５を閉じて内側出入口扉２６を開け、エアロックチャンバー２４の内部から足場９に乗り移り、内側出入口扉２６を閉じた後に足場９に沿い移動して仮屋根６の鉛直壁部６ａに設けてある出入扉２７に近付き、出入扉２７を開けて区画空間１８に侵入すれば良い。
【００２２】
ここで、鉛直壁部６ａのタンク側壁部３側の面には、必要に応じて予め図示しない足場を取り付けておくことが好ましく、出入扉２７から区画空間１８に入った作業員は、前記の足場などを利用して区画空間１８内の大気圧の環境の中でタンク内からの溶接２２や補強材２３の固定等の作業を行い、作業終了後は、出入扉２７から足場９、エアロックチャンバー２４を通り、外側出入口扉２５を開いてタンク屋根５の上に出れば良い。
【００２３】
尚、配管１９を径の大きい頑丈な構造にして内部に足場を取り付け、上端にエアロックチャンバーを設ければ、配管１９自体を作業員の出入や溶接機材の搬入路としても使用することも可能である。
【００２４】
従って、上記形態例によれば、タンク屋根５を空気圧で支えた状態としたままでも、タンク屋根５の外周部と固定用リング部材１０との間から加圧空気をタンク外へ吹き出させないようにして、タンク屋根５の外周部と固定用リング部材１０とのタンク外からの本溶接を実現でき、しかも、区画空間１８に作業員が侵入してタンク屋根５の外周部と固定用リング部材１０とのタンク内からの本溶接も実現できるので、タンク屋根５の仮固定の作業を省いて、空気圧で浮上させているタンク屋根５を固定用リング部材１０に対し直接本溶接して固定することができ、従来において仮固定の作業や仮固定用治具を取り除く後処理などに要していた手間と時間を大幅に低減することができる。
【００２５】
尚、本発明のタンク屋根エアレイジング時の屋根固定方法は、上述の形態例にのみ限定されるものではなく、地上式のタンクの屋根建設に関しても同様に適用することが可能であり、その場合には、タンク側板がタンク側壁部に相当し、固定用リング部材がナックルリングに相当すること、その他、本発明の要旨を逸脱しない範囲内において種々変更を加え得ることは勿論である。
【００２６】
【発明の効果】
上記した本発明のタンク屋根エアレイジング時の屋根固定方法によれば、下記の如き種々の優れた効果を奏し得る。
【００２７】
（Ｉ）タンク屋根の仮固定の作業を省いて、空気圧で浮上させているタンク屋根を固定用リング部材に対し直接本溶接して固定することができるので、従来において要していた仮固定の作業や仮固定用治具を取り除く後処理などの手間と時間を大幅に低減することができる。
【００２８】
（ＩＩ）エアレイジングによりタンク屋根が固定用リング部材に到達した後に、前記配管の閉塞を解除してタンク外へ連通させるだけで区画空間を簡単に大気に開放することができる。
【図面の簡単な説明】
【図１】本発明を実施する形態の一例における要部を拡大した断面図である。
【図２】タンク屋根のエアレイジング工法について説明するための断面図である。
【図３】従来の屋根固定方法を実施する状態のタンク屋根の断面図である。
【図４】図３のＩＶ−ＩＶ方向の矢視図である。
【図５】エアレイジングしたタンク屋根の固定に関する別の従来例を示す断面図である。
【符号の説明】
２    タンク底部
３    タンク側壁部
５    タンク屋根
６    仮屋根
７    シール部材
１０    固定用リング部材
１８    区画空間
１９    配管
【図１】
0004310897.tif 000002
【図２】
0004310897.tif 000003
【図３】
0004310897.tif 000004
【図４】
0004310897.tif 000005
【図５】
0004310897.tif 000006